(57)【要約】【課題】  標準タイプの吊車が使用でき、かつ通常の引き戸にも使用することができる引き戸クローザを提供する。【解決手段】  ぜんまいと、ワイヤを介してダンパ力を引き戸に付与するダンパ機構とを備え、前記引き戸を前記ぜんまいのばね力で自閉させる引き戸クローザであって、前記引き戸本体のワイヤ引き出し部近傍の、前記ぜんまいを収容するぜんまいプーリ及び前記ダンパ機構を収容するダンパプーリの取り付け面とは直交する面に、前記ワイヤの引き方向をオフセットさせるか又は方向転換させるためのプーリを１個又は複数個取り付けるようにした。【選択図】図４
2012112243.tif 000002
【特許請求の範囲】
【請求項１】
ぜんまいと、ワイヤを介してダンパ力を引き戸に付与するダンパ機構とを備え、前記引き戸を前記ぜんまいのばね力で自閉させる引き戸クローザであって、
前記引き戸本体のワイヤ引き出し部近傍の、前記ぜんまいを収容するぜんまいプーリ及び前記ダンパ機構を収容するダンパプーリの取り付け面とは直交する面に、前記ワイヤの引き方向をオフセットさせるか又は方向転換させるためのプーリを１個又は複数個取り付けたことを特徴とする引き戸クローザ。
【発明の詳細な説明】
【技術分野】
【０００１】
本発明は、建物（例えば、引き戸枠など）と引き戸との間に架設したワイヤを、ぜんまいのばね力を利用して巻き取ることにより、開扉後の引き戸を自動的に閉鎖する（以下、自閉させる）引き戸クローザに関する。
【背景技術】
【０００２】
従来、この種の引き戸クローザとしては、例えば特許文献１に記載のものが知られている。即ち、これは、図１４に示すように、ダンパユニット１０１と、ぜんまいユニット１０２と、ぜんまいユニット１０２に収容したシャフト１０９に先端を固定するぜんまい１０３と、ワイヤ巻き乱れ手段１０４と、ワイヤ１０５とを具備したものである。
【０００３】
この引き戸クローザは、ぜんまい１０３の戻り力による引き戸１０６の過度の閉止慣性力で手を挟んだり、戻り力を上回るダンパユニット１０１の過度のダンパ機能の付与によって引き戸１０６の閉止に過大な外力を要する、といった不具合を、ダンパ機能を適正に選択し設定することで解消できるようになっている。なお、図中符号１０７は引き戸クローザの筐体部分を示す。また、矢印Ａは開扉方向、Ｂは閉扉方向を示す。
【先行技術文献】
【特許文献】
【０００４】
【特許文献１】実用新案登録第３１０１７４３号公報（図３）
【発明の概要】
【発明が解決しようとする課題】
【０００５】
図１４に示す引き戸クローザにあっては、例えば、ぜんまい１０３のばね力（戻り力）を変更させる場合には、ぜんまい１０３を巻き装させている中心部のシャフト１０９をねじ回しなどで回転させることで微調整することも可能である。ところが、ばね力を増大させるつもりでシャフト１０９を逆方向に回転させてしまったり、ばね力を弱めるように回転させる際にシャフト１０９を過度に回転し過ぎると、シャフト１０９からぜんまい１０３の先端が抜け出したり、ぜんまい１０３の先端側が折損する虞が考えられる。
【０００６】
さらに、このような引き戸クローザにあっては、例えば、引き戸クローザなどのように、２枚の引き戸の一方にクローザを取付けるとともに他方の引き戸を固定させておくことにより、一方の引き戸を自閉式とする（以下、これを「複式引き戸クローザ」と呼ぶことにする）構成の引き戸の開発要求がある。ところが、このような複式引き戸クローザにあっては、一方のクローザから引き出したワイヤの端を他方の引き戸に取り付けて固定する場合、２つの引き戸が衝突するのを避けるため、一方の引き戸からワイヤを引き出す際にそのワイヤをオフセット（配設位置をずらす）必要があり、従来の引き戸クローザではそのまま適用するのが困難であった。
【０００７】
また、図１４に示すような引き戸クローザを剥き出し状態に設けるのではなく、引き戸に収納させて見栄えを良くした自閉式引き戸とする場合には、図１４に示す横置き（水平置き）の状態ではなく、９０度倒して縦置きにすれば引き戸に収納可能である。ところが、このような縦置きタイプのクローザにあっては、ぜんまいのばね力を調整しようとするときには、シャフト１０９の端部が引き戸の（戸当たり面に直交する）正面側に露出させるように穴を設けておいて、正面側のその穴からドライバなどを差し込んでシャフトの回転操作を行う必要がある。このように、引き戸正面側に、シャフト端部の操作用の穴を設ける必要があるので、美観が良くない。
【０００８】
さらに、前述のように引き戸が２枚以上で構成されている複式引き戸クローザのような場合には、開放方向を間違って閉じ方向に強く押し出すと、強い閉じ力で引き戸が急激に閉められてしまい、高い衝突音が発生してしまうことが考えられる。
【０００９】
本発明は、上記事情に鑑みてなされたもので、ぜんまいの戻り力を調整する際に、ぜんまいがシャフトから抜け出したり、折損することのない引き戸クローザを提供することを目的とする。また、本発明は、複式引き戸クローザなどに設置させるのに好適なワイヤをオフセットさせたり方向転換させることができる引き戸クローザを提供することを目的とする。また、本発明は、引き戸正面側にシャフト端部の操作用に穴などを設けずにぜんまいの戻り力を調整することができ、見栄えがよい引き戸クローザを提供することを目的とする。さらに、本発明は、引き戸を誤って閉じ方向に押し出しても、大きな音を上げて戸当たりに強く衝突することのない引き戸クローザを提供することを目的とする。
【課題を解決するための手段】
【００１０】
上記目的を達成するため、本発明の引き戸クローザは、ぜんまいプーリ内部に収容したぜんまいのばね力により、引き戸を自閉させる引き戸クローザであって、前記ぜんまいは、前記ぜんまいプーリの中心側に設けたシャフトの溝に先端部が係止させた状態で巻装されているとともに、前記シャフトの前記溝に、前記ぜんまいの先端部を押え付けて抜け止めするための押さえ板を配置し、前記押さえ板は断面略Ｚ形状となっていることにある。
【００１１】
また、本発明の引き戸クローザは、ぜんまいと、ワイヤを介してダンパ力を引き戸に付与するダンパ機構とを備え、前記引き戸を前記ぜんまいのばね力で自閉させる引き戸クローザであって、前記引き戸本体のワイヤ引き出し部近傍の、前記ぜんまいを収容するぜんまいプーリ及び前記ダンパ機構を収容するダンパプーリの取り付け面とは直交する面に、前記ワイヤの引き方向をオフセットさせるか又は方向転換させるためのプーリを１個又は複数個取り付けたことを特徴とする。
【００１２】
また、本発明の引き戸クローザは、ぜんまいプーリ内部に収容したぜんまいと、ワイヤを介してダンパ力を引き戸に付与するダンパ機構とを備え、前記引き戸を前記ぜんまいのばね力で自閉させる引き戸クローザにおいて、前記引き戸の開閉方向と直交する方向の面側の外部から前記ぜんまいのばね力を調整可能に構成したことを特徴とする。
【００１３】
前記ワイヤの引張り力の調整手段は、前記ぜんまいプーリ内部に取付け前記ぜんまいの先端を巻装するシャフトに、これと連結させて設けた１枚または複数枚の回転板と、この回転板の回転軸と直交する方向に操作軸を配置するとともに前記回転板の外周縁部に沿って又はこの近傍に沿って設けた被係合部に係合する係合部を有する調整部材とを備えた構成でもよい。
【００１４】
また、本発明の引き戸クローザは、ぜんまいと、ワイヤを介してダンパ力を引き戸に付与するダンパ機構とを備え、前記引き戸を前記ぜんまいのばね力で自閉させる引き戸クローザであって、前記引き戸の閉じ際の速度を規制する閉じ速度規制手段を有することを特徴とする。
【００１５】
引き戸の閉じ際近傍の引き戸枠において、前記ダンパ機構を収容するダンパプーリの外周面のワイヤ用Ｖ溝を避けた部分に対向する状態で設置され、前記ダンパプーリの回転動作を制動させる弾性体を備えた構成でもよい。また、閉じ際近傍の前記ダンパプーリ外周面にピニオンを設けるとともに、引き戸枠に前記ピニオンに噛み合うラックを設けた構成でもよい。
【発明の効果】
【００１６】
本発明によれば、ぜんまいの戻り力を調整する際に、ぜんまいがシャフトから抜け出したり、折損することのない引き戸クローザを提供できる。また、本発明によれば、複式引き戸クローザなどに設置させるのに好適なワイヤの位置をオフセットさせたり方向転換させることができる引き戸クローザを提供できる。また、本発明によれば、引き戸正面側にシャフト端部の操作用に穴などを設けずにぜんまいの戻り力を調整することができ、美観性に優れた引き戸クローザを提供できる。さらに、本発明によれば、引き戸を誤って閉じ方向に押し出しても、大きな音を上げて戸当たりに強く衝突することのない引き戸クローザを提供できる。
【図面の簡単な説明】
【００１７】
【図１】本発明の第１実施形態に係る引き戸クローザに用いるぜんまい機構を示す構成図である。
【図２】図１に示すぜんまい機構においてシャフトが逆回転された（戻り力を弱める）場合状態を示す説明図である。
【図３】図１に示すぜんまい機構の要部を示す拡大図である。
【図４】本発明の第２の実施形態に係る引き戸クローザを内蔵した引き戸を示すものであり、（Ａ）はその引き戸クローザを内蔵する方の引き戸の断面図、（Ｂ）は要部を示す平面図である。
【図５】（Ａ）は本発明の第２の実施形態に係る引き戸クローザを設置した引き戸の上面を示す平面図、（Ｂ）はそのＢ−Ｂ線断面図である。
【図６】その引き戸クローザの変形例を示す平面図である。
【図７】その引き戸クローザの他の変形例を示す平面図である。
【図８】（Ａ）はその引き戸クローザのさらに他の変形例の引き戸クローザを設置した引き戸の上面を示す平面図、（Ｂ）はその断面図である。
【図９】その引き戸クローザのさらに他の別の変形例を示す断面図である。
【図１０】（Ａ）は本発明の第３の実施形態に係る引き戸クローザの構成を示す横断面図、（Ｂ）はその縦断面図、（Ｃ）は本実施形態の原理を示す説明図である。
【図１１】（Ａ）は本発明の第３の実施形態に係る引き戸クローザの変形例の構成を示す断面図、（Ｂ）はその原理を示す説明図である。
【図１２】（Ａ）は本発明の第４の実施形態に係る引き戸クローザを設置した引き戸を示す説明図、（Ｂ）はその断面図である。
【図１３】（Ａ）はその引き戸クローザの変形例のものを設置した引き戸を示す説明図、（Ｂ）はその断面図である。
【図１４】（Ａ）は従来の引き戸クローザを取り付けた引き戸を示す斜視図、（Ｂ）はその従来の引き戸クローザの構成を示す説明図である。
【発明を実施するための形態】
【００１８】
以下、本発明の実施形態について、添付図面を参照しながら詳細に説明する。
（第１実施形態）
図１は、本発明の第１実施形態に係るぜんまいのばね力で引き戸を自閉させる引き戸クローザ（以下、「クローザ」と略す）のぜんまい機構１を示すものであり、このぜんまい機構１は、ぜんまいプーリ１０に収容されており、巻装したぜんまい１１と、このぜんまい１１を固定するシャフト１２と、このシャフト１２に取付けた押さえ板１３とを備えている。なお、図中符号２はワイヤを示す。
【００１９】
ぜんまい１１は、中心側の端部（先端）１１Ａが、ぜんまいプーリ１０中心部に設けたシャフト１２に係止させてある。即ち、このぜんまい１１は、先端１１Ａが略Ｖ字形に折曲されてシャフト１２の溝１２Ａに挿入された状態で挟み込まれている。また、ぜんまい１１の外周には、ワイヤ２の一端（先端）が接続されているとともに、ワイヤ２の他端（基端）は、図示外の建物側に固定されている。
【００２０】
シャフト１２は、ぜんまいプーリ１０の中心部に回転可能に設置された円柱状のもので構成されており、シャフト１２を中央から分断するように前述した溝１２Ａを設けている。
【００２１】
押さえ板１３は、ぜんまい１１の先端１１Ａを押え付けてこのぜんまい１１の抜けなどを防止するものであり、断面略Ｚ形状を有するものが、ぜんまい先端１１Ａを挿入してあるシャフト１２の溝１２Ａに一緒に挟み込まれた格好となっている。
【００２２】
従って、本実施形態によれば、ぜんまい１１のばね力を変更させて戻り力を調整する場合には、ドライバなどを用いてシャフト１２の溝１２Ａに差し込んで回転させることで、戻り力を調整できる。例えば、戻り力を増大させる場合には、図１においてシャフト１２を時計回りに回転させればよい。
【００２３】
逆に、戻り力を減少させる場合には、図１においてシャフト１２を反時計回り（図２、図３の方向）に回転させればよい。ところが、戻り力を減少させる場合に、不慣れな操作者などが角度量を見誤って多く回しすぎると、ぜんまい先端１１Ａが溝１２Ａから抜け出したり、折損する虞がある。ところが、本実施形態によれば、そのように廻し過ぎた場合でも、このようなトラブルを防止できる。
【００２４】
即ち、図３に示すように、シャフト１２を反時計回りに廻し過ぎた場合、ぜんまい先端１１Ａの９０度近くに折り曲げてある強度の弱い部分（最弱部）１１Ｂ近傍の円周部分１１Ｃが押さえ板１３の一端部１３Ａの内面側に接触する。このため、ぜんまい１１は、最弱部１１Ｂ近傍の円周部分１１Ｃが外側方向に押し広がって先端１１Ａが溝１２Ａから脱出しようとするのを防止できるわけである。
【００２５】
（第２実施形態）
次に、本発明に係る第２実施形態について説明する。なお、本実施形態において、第１実施形態と同一部分には同一符号を付して重複説明を避ける。図４は、本実施形態に係る引き戸クローザ（複式引き戸クローザ）３を示すものであり、この引き戸クローザ３は、一対の引き戸４，５において、一方の引き戸（以下、可動側引き戸）５を、固定されている方の引き戸（以下、固定側引き戸）４に対して自閉させるものである。
【００２６】
固定側引き戸４には、天井面４Ａに設けた固定部材４１に、ワイヤ２の基端が固着されている。なお、この天井面４Ａは、可動側引き戸５の後述するプーリを取り付ける天井面５Ｂと同一レベル（面一状態）にある。
【００２７】
可動側引き戸５には、この引き戸５の本体５Ａの内部に、可動側引き戸５に戻り力（自閉力）を付与するぜんまい装置３１およびワイヤ２を介してダンパ力を引き戸５に付与するダンパ装置３２を備えるとともに、本体５Ａの天井面５Ｂにワイヤ２の引き出し方向をオフセットさせるプーリを２個（以下、第１、第２プーリ５１、５２とよぶ）取り付けてある。
【００２８】
ぜんまい装置３１は、図示しない（ぜんまいを含む）ぜんまい機構が後述のぜんまいプーリ３１Ａの内部に収容されており、本体５Ａの取り付け面である正面側に取付けられている。一方、ダンパ装置３２は、図示しない（液体への羽根回転抵抗などを利用した）ダンパ機構を収容する後述のダンパプーリ３２Ａを備えており、同じく、本体５Ａの正面側に取付けられている。
【００２９】
第１、第２プーリ５１、５２は、ぜんまい装置３１及びダンパ装置３２の取り付け面（正面）とは直交する面である本体５Ａの天井面５Ｂのワイヤ引き出し部近傍に設置されている。特に、この第１、第２プーリ５１、５２は、ごく僅かな間隔を保持して互いに近接した状態で配置することにより、ワイヤ２がこれらのプーリの間から抜け出すのを防止している。なお、本実施形態では、第２プーリ５２を第１プーリ５１よりも大径にすることで、ワイヤ２の引き出し位置を大きくずらす（オフセットさせる）ようにしてある。
【００３０】
従って、本実施形態によれば、第１、第２プーリ５１、５２でワイヤ２の引き出し位置をオフセットさせることで、引き戸を自動閉扉させることが可能となり、自閉式の引き戸が実現できる。
【００３１】
なお、本実施形態では、第２プーリ５２を大径にしてあるが、図５に示すように、同径のものを一対設置する構成としてもよい。この場合にも、ワイヤ２をオフセットさせて引き出すことができる。従って、引き戸５を戸枠６側のガイドレール６１に吊り下げるために引き戸５の天井面５Ｂに固設する吊車５３には、車輪５３１を回転自在に支持する支持部５３２をワイヤ２が避けて通過することができる。
【００３２】
なお、本実施形態では、プーリ２個でワイヤ２の引き出し位置を大きくずらす（オフセットさせる）ようにしてあるが、図６に示すように、１個のプーリ５２のみでワイヤ２の引き出し位置をオフセットさせるようにしてもよい。また、図７に示すように、単一のプーリ５２のみでワイヤ２の引き出し位置をオフセットさせるのと同時に、ワイヤ２の走行方向を方向転換させるような構成としてもよい。従って、図６、図７のいずれのタイプの場合にも、ワイヤ２の走行位置を吊車５３の支持部５３２からオフセットさせることができるので、標準タイプの吊車が使用でき、また、図４に示すような通常の引き戸にも使用することができる。
【００３３】
また、本実施形態では、第１、第２プーリ５１、５２を可動側引き戸５に設置してあるが、図８に示すように、第１、第２プーリ５１、５２を固定側引き戸４に設置するとともに、可動側引き戸５の天井面５Ｂに固定部材５４を設置してこれにワイヤ２の基端を固定させてもよい。
【００３４】
さらに、図９に示すように、壁７側に引き戸クローザ３を内蔵させるとともに、可動側引き戸５（の戸当たり６Ａ寄り）にワイヤ２の基端を固定させる固定部材５４を設置するような構成としてもよい。この場合にも、第１、第２プーリ７１、７２を壁７側に設置することで、ワイヤ２の引き出し位置からワイヤ２の走行方向を方向転換させることができるので、壁７に対して引き戸５が直交する方向または９０°以外に設置してあっても、自閉式の引き戸が実現可能となる。
【００３５】
（第３実施形態）
次に、本発明に係る第３実施形態について説明する。なお、本実施形態において、第１、第２実施形態と同一部分には同一符号を付して重複説明を避ける。図１０は、本実施形態に係る引き戸クローザ３を示すものであり、この引き戸クローザ３は、ぜんまい装置３１およびダンパ装置３２を収容するケーシング３０において、引き戸の開閉（α）方向と直交する（建物側の）引き戸枠の戸当たり（図略）に対向する端面３０Ａ側から、ワイヤ２の引張り力をドライバなどで調整可能な引張力調整手段８を備えている。また、本実施形態では、ワイヤ２が、水平方向に対して斜めに傾いた状態で設置されているが、第２実施形態のように水平状態に設置してもよい。
【００３６】
本実施形態の引張力調整手段８は、ぜんまい１１のばね力を変更させることによりワイヤ２の引張り力の調整を行うものであり、回転板８１と、調整部材８２とを備えている。
【００３７】
このうち、回転板８１は、スプロケットとしての機能を有する１枚の円板で構成されており、ぜんまいプーリ３１Ａ中心部において、ぜんまい１１の先端を固定した状態で巻装させてあるシャフト１２と一体に連結している。この回転板８１には、外周縁部（又は外周縁部近傍）に沿って被係合部である小孔８１Ａを多数等間隔で穿設してある。なお、この回転板８１の回転軸はシャフト１２で兼用しており、シャフト１２に回転板８１が一体に固定されている。従って、回転板８１を回転させることで、ぜんまい１１も回転させられ、ぜんまい１１のばね力を調整することができる。
【００３８】
調整部材８２は、ケーシング３０の外部から、特に建物側の引き戸枠側の戸当たりに対向する端面３０Ａ側からドライバなどでぜんまいのばね力を調整できるようにするためのものであり、シャフト１２とは直交する方向（引き戸の開閉方向）に配置してある。この調整部材８２には、操作軸８２１と、この操作軸８２１に一体に固着したピニオン（小歯車）８２２とを備えている。
【００３９】
操作軸８２１は、ケーシング３０の端面３０Ａから頭部８２１Ａが突出しており、この頭部８２１Ａに設けた溝８２１Ｂにドライバ先端などを係止させ、操作軸８２１の回転操作を行う。
【００４０】
ピニオン８２２は、操作軸８２１の端部である頭部８２１Ａとは反対側の端部に固設されており、多数の歯を設けた小歯車で構成している。このピニオン８２２は、歯先８２２Ａが回転板８１の小孔８１Ａに係合して（係合部を構成）調整部材８２を回転させることができるようになっている。
【００４１】
ストッパピン８２３は、（ぜんまいプーリ３１Ａと一体の）回転板８１をケーシング３０に対して固定（ロック）状態に保持しておくものであり、ケーシング３０の内壁に１個又は複数固設させた小ピンで構成されており、回転板８１の小孔８１Ａに嵌入可能なように適宜位置に設置されている。
【００４２】
このストッパピン８２３は、普段、回転板８１の小孔８１Ａに嵌入して回転板８１、延いてはぜんまい１１の基端を固定するものであり、特に引き戸を開いていくときにワイヤ２で引張されてぜんまい１１を巻き取らせていくことができる程度のぜんまい固定力を有している。また、ぜんまい１１のばね力を変更させて引き戸の戻り力を調整させる場合には、ストッパピン８２３のストップ力（ぜんまい固定力）を越える操作軸８２１の回転操作力で回転板８１を回転させるのを許容できる程度に、ストッパピン８２３のストップ力が設定されている。
【００４３】
なお、本実施形態の場合、回転板８１を固定保持してロック状態としておくため、ストッパピン８２３を付設しているが、このストッパピン８２３を付設する代わりに、ぜんまいのばね力変更操作時以外のときには、回転板８１に回転停止状態を維持できるような機能を設けておいてもよい。
【００４４】
従って、本実施形態によれば、ぜんまい１１のばね力を変更させて引き戸の戻り力を調整する場合には、ストッパピン８２３のストップ力を上回る操作軸８２１の回転操作力で回転板８１を所望の方向に回転操作すればよい。しかも、本実施形態によれば、このぜんまい１１のばね力を変更操作のための穴を、引き戸のよく目立つ（デザインを気にする）正面側ではなく、これとは直交する引き戸の端面３０Ａに設置できるので、見栄えもよくなる。
【００４５】
また、本実施形態では、引張力調整手段８を１枚の回転板８１と調整部材８２とで構成したが、これ以外に、例えば図１１に示すように、１枚の回転板８１の代わりに、２個（又はそれ以上の）ギア列で構成してもよい。
【００４６】
即ち、この引張力調整手段８Ａは、図１１に示すように、第１、第２のギア付調整プレート８３、８４と、第２のギア付調整プレート８４に係合する調整部材８２とを備えている。
このうち、第１のギア付調整プレート８３は、シャフト１２と一体に固着されてケーシング３０の内壁に対して回転可能な状態となっており、外周には外歯８３Ａを設けている。一方、第２のギア付調整プレート８４は、外歯８３Ａに噛合する外歯８４Ａを外周に沿って設けているとともに、この外歯８４Ａよりも内側寄りの外周縁部に沿って小孔８４Ｂを設けており、これがスプロケットとしても機能している。
【００４７】
従って、このようなギア列で構成すれば、ケーシング３０の端面３０Ａ側から調整部材８２を回転操作する際に、小さな回転力で確実に第１のギア付調整プレート８３を回転させ、ぜんまい１１のばね力を変更させることができる。
【００４８】
（第４実施形態）
次に、本発明に係る第４実施形態について説明する。なお、本実施形態において、第１〜第３実施形態と同一部分には同一符号を付して重複説明を避ける。
図１２は、本実施形態に係る引き戸クローザ３を設置した引き戸５及びこれを吊り下げた建物側の引き戸枠６などを示すものであり、この引き戸枠６には、引き戸５の閉じ際の閉扉速度を規制する閉じ速度規制手段として弾性体９Ａを設けている。なお、図中符号６Ａは建物側の戸当たりを示す。
【００４９】
弾性体９Ａは、ワイヤ２により引き戸５の戻り力を抑えるためのものであって、ゴムなどの摩擦係数の大きな材料で形成されており、引き戸５の閉じ際近傍の戸枠６に設置されている。本実施形態の弾性体９Ａは、ダンパプーリ３２Ａの外周面に対向する引き戸枠６の一面に設けている。詳細には、引き戸５の閉じ際近傍の引き戸枠６の、ダンパ機構を収容するダンパプーリ３２Ａの外周面の一部が通過する領域に設置されている。特に、ダンパプーリ３２Ａの外周面の一部にワイヤ用Ｖ溝３２１を形成しているので、この弾性体９Ａは、ワイヤ用Ｖ溝を避けた部位が通過する領域に設置されている。
【００５０】
従って、本実施形態によれば、例えば引き戸を誤って閉じ方向に強く押した場合は、ワイヤ２がダンパプーリ３２ＡのＶ溝３２１から浮いてダンパ力が働かず、引き戸５が早く閉められようとする。そのときに、引き戸５の閉じ動作とともに回転するダンパプーリ３２Ａの外周面が弾性体９Ａに接触・摺動することで、確実にダンパが働き、引き戸５の閉じ際の閉扉速度を規制できる。これにより、大きな音を立てて戸当たりに強く衝突するのを防止できる。なお、この実施形態では、ダンパプーリ３２Ａの外周面に弾性体９Ａが接触・摺動するような構成としたが、弾性体以外のもので摩擦を起こさせる材料を使用しても良い。
【００５１】
また、本実施形態では、閉じ速度規制手段として、ゴムなどの摩擦係数の大きな材料で形成された弾性体９Ａを戸枠６のダンパプーリの外周面に対向する面に形成することで構成しているが、例えば、図１３に示すようなラックアンドピニオン機構であってもよい。
【００５２】
即ち、これは、閉じ際近傍の戸枠６にラック９Ｂを設けるとともに、ダンパプーリ３２Ａの外周面の一部にラック９Ｂに噛み合うピニオン９Ｃを設けたものである。
【００５３】
なお、本発明は上述した実施形態に何ら限定されるものではなく、その要旨を逸脱しない範囲において種々の形態で実施し得るものである
【産業上の利用可能性】
【００５４】
本発明の引き戸クローザは、ぜんまいの戻り力を調整する際に、ぜんまいがシャフトから抜け出したり折損する虞がなく信頼度を向上できる効果を有し、市販の引き戸等にそのまま設置してその自閉装置として有用である。また、本発明によれば、複式引き戸クローザなどに設置させるのに好適なワイヤをシフトさせたり方向転換させることができるので、市販の吊り車を取り付けた引き戸等にそのまま設置してその自閉装置として有用である。また、本発明によれば、市販の引き戸等にわずかな部品を追加設置するだけで、引き戸正面側にシャフト端部の操作用に穴などを設けずにぜんまいの戻り力を調整でき、見栄えのよい引き戸クローザを提供できる。さらに、本発明によれば、引き戸を誤って閉じ方向に押し出しても、大きな音を上げて戸当たりに強く衝突することがなく高級化が得られる効果を有し、市販の引き戸等に僅かな部品を追加設置したり、僅かな部品交換をするだけで済むので、その自閉装置として有用である。
【符号の説明】
【００５５】
１  ぜんまい機構
１０  ぜんまいプーリ
１１  ぜんまい
１１Ａ  先端
１１Ｂ  最弱部
１１Ｃ  円周部分
１２  シャフト
１２Ａ  溝
１３  押さえ板
２  ワイヤ
３  引き戸クローザ
３０Ａ  端面
３１  ぜんまい装置
３１Ａ  ぜんまいプーリ
３２  ダンパ装置
３２Ａ  ダンパプーリ
３２１  ワイヤ用Ｖ溝
４  固定側引き戸
５  可動側引き戸
５Ｂ  天井面
５１、５２、７１、７２  第１、第２プーリ
５３  吊車
５４  固定部材
６  引き戸枠
６Ａ  戸当たり
７  壁
８  引張力調整手段
８１  回転板
８１Ａ  小孔
８２  調整部材
８２１  操作軸
８２２  ピニオン（小歯車）
８２３  ストッパピン
８３、８４  第１、第２のギア付調整プレート
８３Ａ、８４  Ａ外歯
８４Ｂ  小孔
９Ａ  弾性体（閉じ速度規制手段）
９Ｂ  ラック（閉じ速度規制手段）
９Ｃ  ピニオン（閉じ速度規制手段）
【図１】
2012112243.tif 000003
【図２】
2012112243.tif 000004
【図３】
2012112243.tif 000005
【図４】
2012112243.tif 000006
【図５】
2012112243.tif 000007
【図６】
2012112243.tif 000008
【図７】
2012112243.tif 000009
【図８】
2012112243.tif 000010
【図９】
2012112243.tif 000011
【図１０】
2012112243.tif 000012
【図１１】
2012112243.tif 000013
【図１２】
2012112243.tif 000014
【図１３】
2012112243.tif 000015
【図１４】
2012112243.tif 000016